(57)【特許請求の範囲】
【請求項１】
導管をポートへと取り付けるための再使用可能なフィッティングであって、
近位端にフェルール部を備えているハウジングと、
ハウジングに物理的に連絡したばねと、
ばねとハウジングとの間に配置され、ハウジングのフェルール部に対して遠位である導管の遠位部とハウジングのフェルール部に対して近位である導管の近位部に固定された保持部とを受け入れ導管の遠位方向への軸方向移動を制限する開口を有するとともに、導管の保持部を通すための中心から外れた開口を定めている保持具と、
ばねと連絡してばねを保持具へと押し付けることによって導管を近位方向に押すキャップと
を備える、フィッティング。
【請求項２】
フェルール部が、導管を受け入れるための通路を定める穴を有している、請求項１に記載のフィッティング。
【請求項３】
ハウジングの遠位端が、フェルール部の穴よりも大きい幅を有するチャンバを定めている、請求項２に記載のフィッティング。
【請求項４】
チャンバの少なくとも一部分が、雌のねじ山を有している、請求項３に記載のフィッティング。
【請求項５】
フェルール部が、ポリエーテルエーテルケトンで形成されている、請求項１に記載のフィッティング。
【請求項６】
ハウジングが、ポリマーまたは鋼で形成されている、請求項１に記載のフィッティング。
【請求項７】
ハウジングの外面が、ポートへの取り付けのためのねじ山を有している、請求項１に記載のフィッティング。
【請求項８】
保持部が、導管の近位部に配置されたスリーブを備えている、請求項１に記載のフィッティング。
【請求項９】
スリーブが鋼で形成されている、請求項８に記載のフィッティング。
【請求項１０】
保持具が、保持具の遠位端にばねとの係合のための内面を有しており、
保持具が、保持具の近位端に位置する２つの内面によって定められるスロットを有しており、
スロットの一部分が、導管を受け入れるためのハウジングのフェルール部によって定められる通路に位置合わせされている、請求項１に記載のフィッティング。
【請求項１１】
２つの内面が、外周を有する第１の内面と、外周を有する第２の内面とを含んでおり、第１の内面の外周が、第２の内面の外周よりも大きく、第１の内面が、導管の保持部を受け入れ、第２の内面が、導管の保持部を妨げることによって遠位方向への導管の軸方向移動を制限する、請求項１０に記載のフィッティング。
【請求項１２】
保持具の近位端のスロットが、第１および第２の内面に関する径方向の延長である中心から外れた開口をさらに備え、中心から外れた開口は、導管の保持部の通過を許す、請求項１０に記載のフィッティング。
【請求項１３】
キャップが、導管を受け入れるための穴と、ばねとの係合のための空洞を定める内面とを有しており、穴が、ハウジングのフェルール部によって定められる通路に位置合わせされている、請求項２に記載のフィッティング。
【請求項１４】
キャップの表面が、チャンバの雌のねじ山を有している部分と係合してハウジングへのキャップの締め込みを可能にするねじ山を有している、請求項４に記載のフィッティング。
【請求項１５】
流体をやり取りするための導管と、
導管に流体連通したポートと、
導管をポートへと取り付けるためのフィッティングと
を備えており、
フィッティングが、
近位端にフェルール部を有しているハウジングと、
ハウジングに物理的に連絡したばねと、
ばねとハウジングとの間に配置され、ハウジングのフェルール部に対して遠位である導管の遠位部を受け入れ、ハウジングのフェルール部に対して近位である導管の近位部に固定された保持部と物理的に連絡して、導管の遠位方向への軸方向移動を制限する開口を有するとともに、導管の保持部を通すための中心から外れた開口を定めている保持具と、
保持具によって導管が近位方向に押されるよう、ばねと物理的に連絡してばねを保持具へと押し付けるキャップと
を備える、液体クロマトグラフィ装置。
【請求項１６】
ハウジングの外面が、ポートへの取り付けのためのねじ山を有している、請求項１５に記載の液体クロマトグラフィ装置。
【請求項１７】
フェルール部が、ポリエーテルエーテルケトンで形成されている、請求項１５に記載の液体クロマトグラフィ装置。
【請求項１８】
ハウジングが、ポリマーまたは鋼で形成されている、請求項１５に記載の液体クロマトグラフィ装置。
【請求項１９】
保持部が、導管の近位部に配置されたスリーブを備えている、請求項１５に記載の液体クロマトグラフィ装置。
【請求項２０】
スリーブが鋼からなる、請求項１９に記載の液体クロマトグラフィ装置。
【請求項２１】
導管をポートへと取り付けるための再使用可能なフィッティングを形成するように組み立てることができる構成部品を有しているキットであって、
再使用可能なフィッティングが、
近位端にフェルール部を有しているハウジングと、
ハウジングに物理的に連絡したばねと、
ばねとハウジングとの間に配置され、ハウジングのフェルール部に対して遠位である導管の遠位部を受け入れ、ハウジングのフェルール部に対して近位である導管の近位部に固定された保持部と物理的に連絡して、導管の遠位方向への軸方向移動を制限する開口を有するとともに、導管の保持部を通すための中心から外れた開口を定めている保持具と、
保持具によって導管が近位方向に押されるよう、ばねと物理的に連絡してばねを保持具へと押し付けるキャップと
を備える、キット。
【発明の詳細な説明】
【技術分野】
【０００１】
本出願は、２０１１年８月２６日に出願された「Ｒｅｕｓａｂｌｅ  Ｆｉｔｔｉｎｇ  ｆｏｒ  Ａｔｔａｃｈｉｎｇ  ａ  Ｃｏｎｄｕｉｔ  ｔｏ  ａ  Ｐｏｒｔ」という名称の米国特許仮出願第６１／５２７，６３８号、２０１１年８月２６日に出願された「Ｃｈｒｏｍａｔｏｇｒａｐｈｙ  Ａｐｐａｒａｔｕｓ  ｗｉｔｈ  Ｄｉｆｆｕｓｉｏｎ−Ｂｏｎｄｅｄ  Ｃｏｕｐｌｅｒ」という名称の米国特許仮出願第６１／５２７，６３９号、２０１１年８月２６日に出願された「Ｌｉｑｕｉｄ−Ｃｈｒｏｍａｔｏｇｒａｐｈｙ  Ｃｏｎｄｕｉｔ  Ａｓｓｅｍｂｌｉｅｓ  Ｈａｖｉｎｇ  Ｈｉｇｈ−Ｐｒｅｓｓｕｒｅ  Ｓｅａｌｓ」という名称の米国特許仮出願第６１／５２７，７４７号、２０１１年８月２６日に出願された「Ｅｌｅｃｔｒｏｓｐｒａｙ  Ａｓｓｅｍｂｌｙ  ｆｏｒ  ａ  Ｍｉｃｒｏｆｌｕｉｄｉｃ  Ｃｈｒｏｍａｔｏｇｒａｐｈｙ  Ａｐｐａｒａｔｕｓ」という名称の米国特許仮出願第６１／５２７，６４８号、および２０１２年４月９日に出願された「Ｃｈｒｏｍａｔｏｇｒａｐｈｙ  Ｃｏｌｕｍｎ  Ａｓｓｅｍｂｌｙ」という名称の米国特許仮出願第６１／６２１，８５２号の先行の出願日の優先権を主張し、これらの出願の全体が、ここでの言及によって本明細書に援用される。
【０００２】
本発明は、広くには、導管をポートへと取り付けるための再使用可能なフィッティングに関する。より詳しくは、本発明のいくつかの実施の形態は、高速液体クロマトグラフィ（ＨＰＬＣ）システムなどの高圧流体システムにおいて使用するための着脱式かつ交換可能なフィッティングに関する。
【背景技術】
【０００３】
毛管ＨＰＬＣシステムは、典型的には、毛管を金属製またはプラスチック製の流体ポートへと接続するための鋼製のフェルールであって、流体を漏らさないシールをもたらし、かつ毛管とポート内に埋め込まれた導管との間の空き容積が実質的にゼロであるフェルールを必要とする。そのような接続において、毛管は、鋼製のフェルールと圧縮ナットとを有するフィッティングに保持される。圧縮ナットが、フィッティングによって毛管が把持され、毛管が押されてポートに埋め込まれた導管の入り口または出口に直接接触して押し込まれるように、フェルールを押し込む。ひとたび接続がなされると、鋼製のフェルールは毛管へと恒久的に固定され、したがって特定のポートにしか使用することができない。フィッティングが別のポートへと移される場合、通常は、わずかな製造公差でも、空き容積が生じる結果となり、あるいは損傷および／または鋼製のフェルールの不適切な着座を引き起こしかねない妨害につながる。さらに、鋼製のフェルールが毛管へと恒久的に取り付けられるがゆえに、使用中にフィッティングの一部分が損傷した場合に、フィッティングのいかなる部分も単純な取り外しまたは交換が不可能であるため、フィッティング全体が廃棄され、新たなフィッティングが設置される。
【０００４】
本技術分野で公知のとおり、ポリテトラフルオロエチレン製のフェルールおよび高性能ポリエーテルエーテルケトン製のフィッティングなど、ＨＰＬＣシステムにおいて使用するための非着脱式、再使用不可能、かつ交換不可能な鋼製のフェルールの代案が存在する。しかしながら、ポリテトラフルオロエチレン製のフェルールは、数千ポンド／平方インチ（ｐｓｉ）未満の圧力に限られ、高性能ポリエーテルエーテルケトン製のフィッティングは、ポリエーテルエーテルケトン製のシールコーンが継続的な使用によって損傷する可能性があるため、再使用が制限される。
【発明の概要】
【課題を解決するための手段】
【０００５】
一態様において、本発明は、導管をポートへと取り付けるための再使用可能なフィッティングを特徴とする。再使用可能なフィッティングが、ハウジングと、ばねと、保持具と、キャップとを備える。ハウジングは、ハウジングの近位端にフェルール部を備える。ばねが、ハウジングに物理的に連絡する。保持具が、ばねとハウジングとの間に配置される。保持具は、導管の遠位部と導管の近位端に固定された保持部とを受け入れ導管の遠位方向への軸方向移動を制限する開口を有する。保持具は、導管の保持部を通すための中心から外れた開口を定めている。キャップが、ばねと連絡してばねを保持具へと押し付けることによって導管を近位方向に押す。
【０００６】
別の態様において、本発明は、流体をやり取りするための導管と、導管に流体連通したポートと、導管をポートへと取り付けるためのフィッティングとを備える液体クロマトグラフィ装置を特徴とする。フィッティングが、近位端にフェルール部を有しているハウジングと、ハウジングに物理的に連絡したばねとを備える。さらにフィッティングは、保持具およびキャップを備える。保持具は、ばねとハウジングとの間に配置される。保持具は、導管の遠位部を受け入れる開口を有し、導管の近位端に固定された保持部と物理的に連絡して、導管の遠位方向への軸方向移動を制限する。保持具は、導管の保持部を通すための中心から外れた開口を定めている。キャップが、保持具によって導管が近位方向に押されるよう、ばねと物理的に連絡してばねを保持具へと押し付ける。
【０００７】
さらに別の態様において、本発明は、導管をポートへと取り付けるための再使用可能なフィッティングを形成するように組み立てることができる構成部品を有しているキットを特徴とする。再使用可能なフィッティングが、近位端にフェルール部を有しているハウジングを備える。さらに、再使用可能なフィッティングは、ハウジングに物理的に連絡したばねと、ばねとハウジングとの間に配置された保持具と、キャップとを備える。保持具は、導管の遠位部を受け入れる開口を有し、導管の近位端に固定された保持部と物理的に連絡して、導管の遠位方向への軸方向移動を制限する。保持具は、導管の保持部を通すための中心から外れた開口を定めている。キャップが、保持具によって導管が近位方向に押されるよう、ばねと物理的に連絡してばねを保持具へと押し付ける。
【０００８】
本発明の上述の利点およびさらなる利点を、以下の説明を添付の図面と併せて参照することによって、よりよく理解することができる。添付の図面においては、種々の図において、類似の参照番号は類似の構成要素および特徴を指し示している。分かりやすくするために、すべての図のすべての構成要素に標記がなされているわけではない。図面は必ずしも比例尺でなく、本発明の原理の説明に重点が置かれている。
【図面の簡単な説明】
【０００９】
【図１】本発明による再使用可能なフィッティングの実施の形態の概略図である。
【図２】本発明による再使用可能なフィッティングの実施の形態の断面図である。
【図３】図２の再使用可能なフィッティングのためのハウジングの断面図である。
【図４Ａ】図２の再使用可能なフィッティングのための保持具の側面断面図である。
【図４Ｂ】図４Ａに示した保持具の端面図である。
【図５】図２の再使用可能なフィッティングのためのキャップの断面図である。
【図６Ａ】切り離された状態にある本発明による液体クロマトグラフィ装置の実施の形態の一部分の断面図である。
【図６Ｂ】図６Ａに示した液体クロマトグラフィ装置の一部分について、接続された状態の断面図である。
【発明を実施するための形態】
【００１０】
本明細書における「一実施の形態」または「実施の形態」への言及は、その実施の形態に関連して説明される細部、部分、構造、または特徴が、本教示の少なくとも１つの実施の形態に含まれることを意味する。本明細書における特定の実施の形態への言及は、必ずしもすべてが同じ実施の形態に言及しているわけではない。
【００１１】
次に、本教示を、添付の図面に示されるとおりの本教示の典型的な実施の形態を参照してさらに詳しく説明する。本教示を、種々の実施の形態および実施例に関して説明するが、本教示がそのような実施の形態に限られるわけではない。むしろ、本教示は、当業者であれば理解できるであろう種々の代案、変更、および均等物を包含する。当業者であれば、本明細書の教示を利用して、本明細書に記載されるとおりの本開示の技術的範囲に包含されるさらなる実施例、変更、および実施の形態、ならびに他の利用分野を、理解できるであろう。
【００１２】
用語「実質的に」は、本明細書において使用されるとき、変動しても関連の基本的機能に変化を引き起こすことがないと考えられるあらゆる定量的表現を修飾するために適用可能である。
【００１３】
用語「毛管」は、本明細書において使用されるとき、約３００μｍ以下の内径を有する管を指す。文脈に応じて、用語「毛管」および「導管」は、本明細書において入れ換え可能に使用される。
【００１４】
用語「保持部」は、本明細書において使用されるとき、導管上に作成または構成され、フィッティングに保持されたときの導管の軸方向の移動を制限するものを指す。
【００１５】
簡単に要約すると、本発明は、１つには、ポリエーテルエーテルケトンなどで形成されたフェルールを備えるフィッティングであって、導管をフィッティングに解除可能に固定することができる保持具を備えるフィッティングに関する。このフィッティングは、いくつかの実施の形態においては２０，０００ｐｓｉを超えるかもしれない高い圧力の２つの流体の導管の接合部に、流体を漏らさないシールをもたらすとともに、そのような接合部における空き容積が実質的にゼロである。このフィッティングは、着脱可能、再使用可能、かつ交換可能であり、フェルールを特定の毛管（したがって、特定のポート）に恒久的に拘束することなく、流体ポートへの毛管の接続および再接続をユーザにとって可能にする。このフィッティングは、使用中にフィッティングの一部またはすべてが損傷した場合に、交換が可能である。
【００１６】
図１が、フェルール部１４を有するハウジング１２と、保持具１６とを備える再使用可能なフィッティング１０の概略図である。フェルール部１４は、導管１８を受け入れるための通路を定めている穴を有しており、金属製またはプラスチック製のポートの雌の受け部に収容されるように構成されている。フェルール部１４は、例えばポリエーテルエーテルケトンまたはポリエーテルエーテルケトン類のポリマーで形成されている。フェルール部１４は、図示のようにハウジング１２と一体であってよく、あるいは別の部品であってよい。
【００１７】
導管１８が、フィッティング１０に保持され、ポートに埋め込まれた導管の入り口または出口と対合するように受け部へと押し込まれる。圧縮を、ねじ込みによる圧縮力、ばね力、締め付け力、またはこれらの力のうちの１つ以上の組み合わせなど、フェルール部１４へと加えられる一方で、後に導管１８を損傷させることなくフェルール部１４から取り外すことができる任意の適切な力を使用して、達成することができる。換言すると、フェルール部１４は、圧縮によって導管へと恒久的に取り付けられるわけではない。
【００１８】
用語「保持具」は、本明細書において使用されるとき、導管１８のフィッティングへの固定またはフィッティングからの解放を可能にする構造を有しているものを意味する。保持具１６は、ハウジング１２の一部分であってよく、あるいはハウジングの内側または外側に配置される別途の部品であってよい。保持具１６は、導管１８を受け入れるためのフェルール部１４によって定められた通路に位置合わせされた開口を有している。保持具１６は、１つ以上のロック領域２０または機構を備えている。例えば、ロック領域２０は、１つ以上のフック、バンド、スロット、溝、ピン、フランジ、または同様部分を使用することができる。ロック領域２０は、導管１８の保持部２２をロック領域へと結合させることによって、導管１８を固定することができる。さらに、構造２０は、保持部２２がロック領域２０によってもたらされる妨げを迂回できるようにすることによって、導管１８を解放することができる。種々の実施の形態において、導管１８に結合される保持部２２は、導管１８の一部分に配置される鋼製の鞘、導管１８の表面にコートされた材料、あるいは導管１８上に構成または形作られ、ロック領域２０と連係することによってフィッティング１０における導管１８の軸方向の移動を制限することができるものである。
【００１９】
図２が、本発明による再使用可能なフィッティング３０の一実施の形態の断面図である。フィッティング３０は、ハウジング３２と、ばね３４と、保持具３６と、キャップ３８とを備えている。ハウジング３２が、図３に別途図示されており、近位端のフェルール部４０と、遠位端にチャンバ４３を定めている内面４２と備えている。ハウジングは、任意の適切な形状を有することができ、例えば図示のハウジング３２は円形の断面を有するが、他の多角形の断面形状も可能である。ハウジング３２は、ポリマー材料または金属材料などの任意の適切な材料から作られている。一部品からなるハウジング３２として図示されているが、いくつかの別の実施の形態においては、ハウジングが２つ以上の部品を含む。他の実施の形態においては、フェルール部４０が、ハウジング３２の残りの部分とは別の部品であってよい。図示のフェルール部４０は、導管を受け入れるための通路を定める穴４４を有している。いくつかの実施の形態においては、穴４４の内径が、約３００μｍ以下である。チャンバ４３の幅（または、直径）は、穴４４の幅（または、直径）よりも大きい。フェルール部４０の形状およびサイズが、フェルール部４０をポートへと締め付けることができるように、ポートの雌の受け部に適合するように構成されている。フェルール部４０は、ポリエーテルエーテルケトンで形成され、あるいはポリエーテルエーテルケトン類のポリマーなどの同様の材料で形成されるが、他の実施の形態においては、フェルール部４０を、グラファイトまたはポリイミドなどの他の材料で構成してもよい。
【００２０】
図２および図３の両方を参照すると、ばね３４が、ハウジング３２のチャンバ４３に配置されている。保持具３６が、チャンバ４３の内側においてフェルール部４０に最も近い端部に配置されている。ハウジング３２は、キャップ３８のねじ山付きの表面と係合するねじ山付きの内面４５と、ポートへと取り付けられるように構成されたフェルール部４０の付近のねじ山付きの外面４７とを有している。ばね３４は、チャンバ４３において保持具３６とキャップ３８との間に配置されている。例として、ばね３４は、ばね３４が保持具３６とキャップ３８との間で圧縮された状態にあるときに、保持具３６をハウジング３２のチャンバ４３内で所定の位置に保つための力が加えられるよう、つる巻きばね（図示のとおり）、板ばね、圧縮可能な弾性ワッシャ、圧縮可能な材料で形成された中空シリンダ、などであってよい。したがって、保持具３６が、導管１８を近位方向（すなわち、図における左方）に押し付ける。
【００２１】
いくつかの好ましい実施の形態においては、保持部が、導管１８の近位部に配置されたスリーブ４６を備える。スリーブ４６が、保持具３６の構造に係合し、遠位方向（すなわち、図における右方）への導管１８の軸方向の移動を制限する。
【００２２】
一実施の形態においては、ハウジング３２が、図２に示されているようなフェルール部４０を備えない。代わりに、交換式のキャップが、導管またはスリーブの近位部の端部に設けられる。例として、キャップを、ポリエーテルエーテルケトン類のポリマーから製造することができ、導管またはスリーブの端部に保持されるように形作ることができる。導管をポートへと接続すべくフィッティングが受け部に押し付けられるとき、ばねの圧縮によって、導管の端面に面シールをもたらすための充分な軸方向の力が加えられる。別の代案の実施の形態においては、交換式のガスケットが、受け部において導管の端面をポートへとシールするために、キャップの代わりに使用される。フィッティングを受け部へと再び取り付ける場合や、別の受け部のポートへと固定する場合に、キャップまたはガスケットを取り除き、随意により別のキャップまたはガスケットと交換することができる。
【００２３】
図４Ａが、図２の再使用可能なフィッティング３０のための保持具３６の側面断面図であり、図４Ｂが、図４Ａの左方から右方への方向に見た保持具３６の端面図である。保持具３６は、ばね３４の一端を受け止めるための内面５０を一端に備え、導管を受け入れるためのハウジングのフェルール部の通路に位置合わせされたスロット５２を他端に備えている。スロット５２は、外周を有する第１の内面５４と、第１の内面５４の外周よりも小さい外周を有する第２の内面５６とを備えている。ロック領域が、内面５４および５６の組み合わせによって定められている。第１の内面５４が、導管に位置するスリーブ（保持部）を受け入れるために充分な開口を定める一方で、第２の内面５６は、スリーブを受け入れることはできないが、依然として導管を通すことができる程度には十分なより小さな外周を有している。
【００２４】
解放領域が、スロット５２の一端の中心から外れた開口５８によって定められている。中心から外れた開口５８は、両方の内面５４および５６の径方向の延長であり、スリーブを含む導管の近位部が、第２の内面５６によって定められるロック領域が呈する妨げを迂回することによって保持具３６を通過できるようにする。導管およびスリーブが保持具３６の中心に向かって（すなわち、軸５７に向かって）径方向に移動させられたとき、ひとたびスリーブが第２の内面５６によって定められる狭い開口に遭遇すると、遠位方向への軸方向の移動が防止される。
【００２５】
軸５７から最も遠いスロット５２の端部に位置する大径の開口によって、ユーザは、保持部４６を保持具３６に通すことができ、次いで保持部４６および導管１８を軸５７に沿って位置するように戻すことで、保持部４６および導管１８をフィッティング３０に固定することができる。後に、保持部４６および導管１８を、損傷を被ることなく遠位方向にフィッティング３０から取り外すことができる。フィッティング３０を、同じポートにおいて別の導管とともに再使用することができ、あるいは導管を別のポートに接続するために使用することができる。他の実施の形態においては、他の形状およびサイズのスロットを、保持部４６および導管１８をフィッティングに固定するために使用することができる。
【００２６】
図５が、図２の再使用可能なフィッティング３０のためのキャップ３８の断面図を示している。キャップ３８は、図３のハウジング３２のフェルール部４０によって定められる通路に位置合わせする穴５８と、ばねとの係合のための空洞を定めている近位端の内面６０とを有している。キャップ３８の外面は、図３のハウジング３２のチャンバ４３に位置する相手方のねじ山４５と係合するねじ山６４を備えている。再び図２を参照すると、キャップ３８が、ばね３４を保持具３６へと押し付ける回転によってハウジング３２へと締め付けられる。結果として、保持具３６が、フェルール部４０を流体ポートに押し付けて密封する。
【００２７】
本発明の一実施の形態においては、図２のフィッティング３０などの再使用可能なフィッティングの構成部品が、キットとして提供される。構成部品を組み合わせ、導管をポートへと取り付けるための再使用可能なフィッティングを形成することができる。
【００２８】
図６Ａおよび図６Ｂは、それぞれ切り離された状態および接続された状態にある本発明の一実施の形態による液体クロマトグラフィ装置７０の一部分の断面図である。図示の部分７０は、流体の連絡のための導管７２と、導管７４との連通のためのポート７４と、フィッティング７６とを含んでいる。例えば、導管７２およびフィッティング７６は、図２に示した導管１８およびフィッティング３０と同様であってよい。ポート７４は、流体入り口ポートまたは流体出口ポートであってよく、例えばポンプの出力ポート、カラムの入力ポート、サンプル注入ポート、バルブのポート、または分流ティーのポートであってよい。例えば、ポート７４を、金属またはプラスチックから製造することができる。フィッティング７６は、フェルール部７８を備え、フェルール部７８は、フェルール部７８をポート７４へと締め付けることができるようにポート７４の雌の受け部８０に適合する形状およびサイズを有している。
【００２９】
これに限られない数値の例として、導管７２は、約３００μｍ以下の内径を有することができる。導管７２の一部分が、典型的には、フィッティング７６のフェルール部７８を通って延びるスリーブ８２の内側に配置される。
【００３０】
フィッティング７６のねじ山付きの部分８４が、ポート７４の雌の受け部８０のねじ山付きの部分８６と螺合する。ねじ山の螺合によるポート７４への締め込みの際に、フィッティング７６が、導管７２を前方へとポート７４に埋め込まれた導管８８の入り口／出口に押し付ける。結果として、導管７２は、保持具９０をキャップ９２に向かって後方へと押す。装置７０は、２つの導管７２および８８の継ぎ目に流体を漏らさないシールをもたらすとともに、この継ぎ目における空き容積が実質的にゼロであり、２０，０００ｐｓｉを超えることもある圧力に耐えることができる。
【００３１】
いくつかの実施の形態においては、液体クロマトグラフィ装置が、例えばマサチューセッツ州ＭｉｌｆｏｒｄのＷａｔｅｒｓ  Ｃｏｒｐｏｒａｔｉｏｎから市販されているＡＣＱＵＩＴＹ  ＵＰＬＣ（Ｒ）システムまたはｎａｎｏＡＣＱＵＩＴＹ  ＵＰＬＣ（Ｒ）システムの一型式のＨＰＬＣシステムである。
【００３２】
本明細書において説明した内容について、当業者であれば、特許請求の範囲に記載されるとおりの本発明の教示から外れることなく、修正、変更、および他の実施例に想到できるであろう。例えば、種々の実施の形態がコイルの形態のばねを備えているが、他の構造的形態のばねも考えられる。例えば、ばねは、波形ワッシャおよびエラストマ材料など、ばね定数または他の弾性を有する任意の構造または機構であってよい。したがって、本発明は、以上の例示の説明には限定されない。
【図１】
0006021917.tif 000002
【図２】
0006021917.tif 000003
【図３】
0006021917.tif 000004
【図４Ａ】
0006021917.tif 000005
【図４Ｂ】
0006021917.tif 000006
【図５】
0006021917.tif 000007
【図６Ａ】
0006021917.tif 000008
【図６Ｂ】
0006021917.tif 000009